(57)【要約】【課題】運搬及び運搬物の排出の作業を容易化する。【解決手段】運搬具１００は、荷台１０と、荷台１０の移動を可能にするように荷台１０の下方に設けられた車輪２０と、荷台１０の上面に平行な軸３０を中心として回動可能に荷台１０に取り付けられた容器４０と、容器４０に回動力を与えるスプリング５０と、回動力によって容器４０が回動することを規制する規制機構６０と、規制機構６０による規制を解除する解除機構７０とを備える。【選択図】図２
2007038920.tif 000002
【特許請求の範囲】
【請求項１】
荷台と、
前記荷台の移動を可能にするように前記荷台の下方に設けられた車輪と、
前記荷台の上面に平行な軸を中心として回動可能に前記荷台に取り付けられた容器と、
前記容器に回動力を与えるスプリングと、
前記回動力によって前記容器が回動することを規制する規制機構と、
前記規制機構による規制を解除する解除機構と、
を備えることを特徴とする運搬具。
【請求項２】
前記軸は、前記荷台の対向する第1辺及び第２辺のうち前記第1辺側に配置され、前記運搬具は、前記荷台の前記第２辺側から上方に延びた側部部材に設けられた取っ手部を更に備え、
前記解除機構は、前記第２辺側に突出した操作部材を含み、前記操作部材が操作されることによって前記規制機構による規制が解除される、
ことを特徴とする請求項１に記載の運搬具。
【請求項３】
前記規制機構及び前記解除機構の側方を覆うように前記荷台に設けられたカバー部材を更に備えることを特徴とする請求項１又は請求項２に記載の運搬具。
【発明の詳細な説明】
【技術分野】
【０００１】
本発明は、運搬具に関する。
【背景技術】
【０００２】
図１は、ビール瓶を収容する函を搬送している際に函内のゴミを排斥する搬送装置の構成を模式的に示す図である。搬送装置は、開口部が上向きの函１を開口部が下向きの状態にする搬送路２と、函１の開口部が下向きになる位置において函１から落ちるゴミを収集して運搬具４の荷台上に置かれた容器５に排出する排出部３とを備える。容器５にゴミが溜まると、作業者は、容器５を載せた運搬具４をゴミ収集場まで運んでゴミを捨てる。
【特許文献１】特開平９−７５８５４号公報
【発明の開示】
【発明が解決しようとする課題】
【０００３】
容器５内のゴミを捨てる際には、容器５を傾けたり倒したりする必要がある。しかしながら、ゴミの量が多くなりその重量が大きくなると、容器５を傾けたり倒したりすることは容易ではない。
【０００４】
本発明は、上記の課題認識を基礎としてなされたものであり、例えば、運搬及び運搬物の排出の作業を容易化することを目的とする。
【課題を解決するための手段】
【０００５】
本発明に係る運搬具は、荷台と、前記荷台の移動を可能にするように前記荷台の下方に設けられた車輪と、前記荷台の上面に平行な軸を中心として回動可能に前記荷台に取り付けられた容器と、前記容器に回動力を与えるスプリングと、前記回動力によって前記容器が回動することを規制する規制機構と、前記規制機構による規制を解除する解除機構とを備える。
【０００６】
本発明の好適な実施形態によれば、前記軸は、前記荷台の対向する第1辺及び第２辺のうち前記第1辺側に配置され、前記運搬具は、前記荷台の前記第２辺側から上方に延びた側部部材に設けられた取っ手部を更に備え、前記解除機構は、前記第２辺側に突出した操作部材を含み、前記操作部材が操作されることによって前記規制機構による規制が解除されることが好ましい。
【０００７】
本発明の好適な実施形態によれば、前記運搬具は、前記規制機構及び前記解除機構の側方を覆うように前記荷台に設けられたカバー部材を更に備えることが好ましい。
【発明の効果】
【０００８】
本発明によれば、例えば、運搬及び運搬物の排出の作業を容易化することができる。
【発明を実施するための最良の形態】
【０００９】
以下、添付図面を参照しながら本発明の好適な実施形態を説明する。
【００１０】
図２〜図５は、本発明の好適な実施形態の運搬具の構成を概略的に示す図である。運搬具１００は、種々の物の運搬に好適である。運搬具１００は、例えば、図１に示すような搬送装置から排斥されるゴミを回収しそれを運搬するために使用することができる。
【００１１】
運搬具１００は、荷台１０と、荷台１０の移動を可能にするように荷台１０の下方に設けられた車輪２０と、荷台１０の上面に平行な軸３０を中心として回動可能に荷台１０に取り付けられた容器４０とを備えている。軸３０は、荷台１０の第１辺１０ａの近傍に取り付けられている。容器４０は、典型的には、その上部が開口している。
【００１２】
荷台１０の第１辺１０ａに対向する第２辺１０ｂからは、側部部材８０が上方に延びている。側部部材８０には、取っ手部８２が設けられている。作業者は、取っ手部８２を持って運搬具１００を移動させることができる。
【００１３】
運搬具１００は、更に、容器４０に図２〜図５において反時計回りの回動力を与えるスプリング５０と、スプリング５０による回動力によって容器４０が回動することを規制する規制機構６０と、規制機構６０による規制を解除する解除機構７０とを備えている。
【００１４】
スプリング５０は、その一端が、容器４０から延出した延出部４８に連結され、その他端が、側部部材８０から延出した延出部５２に連結されている。規制機構６０は、側部部材８０に設けられた軸支部材８４によって軸支された規制部材６２を含む。規制機構６０によって容器４０の回動が規制された状態においては、規制部材６２の一端６２ａは、容器４０に設けられた係合部４６に係合し、その他端６２ｂは、側部部材８０に当接している。
【００１５】
解除機構７０は、荷台１０の第２辺１０ｂ側に突出した操作部材７２を含む。操作部材７２は、側部部材８０に設けられた軸支部材８６によって軸支されている。また、操作部材７２は、リンク機構によって規制部材６２に連結されている。図４に示すように、操作部材７２が図４において時計回りに回動されることによって規制部材６０が反時計回りに回動して、規制部材６０の一端６２ａと容器４０の係合部４６との係合が解除される。これに応じて、図５に示すように、スプリング５０によって、容器４０が図５において反時計回りに回動されて傾く。操作部材７２が荷台１０の第２辺１０ｂ側に突出した構造によれば、作業者は、取っ手部８２を持って運搬具１００を移動させた後に、その足で操作部材７２を踏むことによって規制機構６０による回動の規制を解除し、容器４０を回動させることができる。したがって、運搬具１００による物の運搬から排出までの作業を効率的に行うことができる。
【００１６】
容器４０の先端側（荷台１０の第１辺１０ａ側）には、軸４２によって回動可能に軸支された扉４４が設けられていて、容器４０の回動に伴って扉４４がその自重によって開く。これによって、容器４０内のゴミ等の物９０が容器４０から排出される。容器４０は、図５において、作業者によって時計方向に回動されることによって、図２に示す状態に戻る。
【００１７】
図３に例示的に示すように、運搬具１００は、規制機構６０及び解除機構７０の側部を覆うように荷台１０に設けられたカバー部材１６を備えることが好ましい。このようなカバー部材１６を設けることにより、規制機構６０及び解除機構７０によって作業者が指等を負傷することを防止することができる。
【図面の簡単な説明】
【００１８】
【図１】ビール瓶を収容する函を搬送している際に函内のゴミを排斥する搬送装置の構成を模式的に示す図である。
【図２】本発明の好適な実施形態の運搬具の構成を概略的に示す図である。
【図３】本発明の好適な実施形態の運搬具の構成を概略的に示す図である。
【図４】本発明の好適な実施形態の運搬具における容器の回動規制機構の解除動作を示す図である。
【図５】本発明の好適な実施形態の運搬具における容器の回動動作に示す図である。
【符号の説明】
【００１９】
１  函
２  搬送路
３  排出部
４  運搬具
５  運搬具の荷台に置かれた容器
１０  荷台
１０ａ  荷台の第１辺
１０ｂ  荷台の第２辺
２０  車輪
３０  軸
４０  容器
４２  軸
４４  扉
４６  係合部
４８  延出部
５０  スプリング
５２  延出部
６０  規制機構
６２  規制部材
７０  解除機構
７２  操作部材
８０  側部部材
８２  取っ手
８４、８６  軸支部材
９０  運搬物
１００  運搬具
【図１】
2007038920.tif 000003
【図２】
2007038920.tif 000004
【図３】
2007038920.tif 000005
【図４】
2007038920.tif 000006
【図５】
2007038920.tif 000007